(57)【特許請求の範囲】
【請求項１】
Ｘ型に交差して折り畳み可能とされる対のフレーム（１，２）を有し、Ｘ型に展開したフレーム（１，２）の間に突張棒（３）が着脱可能にして掛け渡されていて、前記フレーム（１，２）に取付の支柱（４）が支持する天秤カセット（３１）に収められた天秤（３０）と、前記天秤（３０）の下に紐を介して位置するそうこうワク（３８）と、前記そうこうワク（３８）の下に紐を介して位置する伝達棒（３７）と、前記伝達棒（３７）の下に紐を介して位置し踏み木（１５）に着脱可能に掛け止められる結紐小片（３２）とが、前記踏み木（１５）の上下操作で上下移動するものであって、前記フレーム（２）に、縦糸巻き取り軸（２６）が着脱可能に取り付けられ、前記フレーム（１）に、織り上げられる布を巻き取る布巻き取り軸（１９）が着脱可能に取り付けられている折り畳み可能な手織り機において、
前記天秤（３０）と前記そうこうワク（３８）と前記伝達棒（３７）と前記結紐小片（３２）と前記縦糸巻き取り軸（２６）と縦糸と筬（５２）と前記布巻き取り軸（１９）と前記織り上げられている布とが一体で取り外し可能とされ、
展開したフレーム（１，２）の間で水平に掛け渡される前記突張棒（３）は、前記縦糸巻き取り軸（２６）と布巻き取り軸（１９）との間に亘る縦糸位置の下方にして配置されて、この突張棒（３）の上に、取り外された前記天秤（３０）と前記そうこうワク（３８）と前記伝達棒（３７）と前記結紐小片（３２）と前記縦糸巻き取り軸（２６）と縦糸と筬（５２）と前記布巻き取り軸（１９）と前記布とを入れるケースを乗せ置きできる構成を有することを特徴とする折り畳み手織り機。
【請求項２】
折り畳み手段であるモータを有するとともに、車輪を有して、前記車輪により移動可能に設けられている請求項１に記載の折り畳み手織り機。
【請求項３】
上記突張棒（３）をフレームに固定する固定ピン（７）を有する請求項１または２に記載の折り畳み手織り機。
【請求項４】
縦糸巻き取り軸（２６）は、歯車に噛合するブレーキレバーにより一方方向回転可能に規制され、前記ブレーキレバーのオン・オフはマグネット（２３）とブレーキレバー（１７）に含まれるブレーキ解除棒で行われる請求項１から３のいずれか一項に記載の折り畳み手織り機。
【発明の詳細な説明】
【技術分野】
【０００１】
本発明は折り畳み手織り機に関するものである。
【背景技術】
【０００２】
従来から、一人の織り手で機を織り進めることのできる手織り機がある。そして、昨今にあっては手織物教室などに置かれている手織り機を用いて、生徒の織り手が織物を織り上げる学習が行われるようにもなってきている。
【発明の開示】
【発明が解決しようとする課題】
【０００３】
しかしながら、これまでに知られている手織り機では、未完成の布（織物）がかかっていてその織り手が休暇などでいない場合、織りかけの布を外すことができないことから、その手織り機を他の織り手が使用することができないという問題がある。
本発明は上記事情に鑑み、織りかけ布を手織り機から取り外したり、また、織りかけの布を手織り機に取り付けて手織りを継続できるようにすることを課題とし、手織り機を効率的に利用できるようにすることを目的とするものである。
【課題を解決するための手段】
【０００４】
本発明は上記課題を考慮してなされたもので、Ｘ型に交差して折り畳み可能とされる対のフレーム（１，２）を有し、Ｘ型に展開したフレーム（１，２）の間に突張棒（３）が着脱可能にして掛け渡されていて、前記フレーム（１，２）に取付の支柱（４）が支持する天秤カセット（３１）に収められた天秤（３０）と、前記天秤（３０）の下に紐を介して位置するそうこうワク（３８）と、前記そうこうワク（３８）の下に紐を介して位置する伝達棒（３７）と、前記伝達棒（３７）の下に紐を介して位置し踏み木（１５）に着脱可能に掛け止められる結紐小片（３２）とが、前記踏み木（１５）の上下操作で上下移動するものであって、前記フレーム（２）に、縦糸巻き取り軸（２６）が着脱可能に取り付けられ、前記フレーム（１）に、織り上げられる布を巻き取る布巻き取り軸（１９）が着脱可能に取り付けられている折り畳み可能な手織り機において、
前記天秤（３０）と前記そうこうワク（３８）と前記伝達棒（３７）と前記結紐小片（３２）と前記縦糸巻き取り軸（２６）と縦糸と筬（５２）と前記布巻き取り軸（１９）と前記織り上げられている布とが一体で取り外し可能とされ、
展開したフレーム（１，２）の間で水平に掛け渡される前記突張棒（３）は、前記縦糸巻き取り軸（２６）と布巻き取り軸（１９）との間に亘る縦糸位置の下方にして配置されて、この突張棒（３）の上に、取り外された前記天秤（３０）と前記そうこうワク（３８）と前記伝達棒（３７）と前記結紐小片（３２）と前記縦糸巻き取り軸（２６）と縦糸と筬（５２）と前記布巻き取り軸（１９）と前記布とを入れるケースを乗せ置きできる構成を有することを特徴とする折り畳み手織り機を提供して上記課題を解消するものである。
【０００５】
そして、本発明において、折り畳み手段であるモータを有するとともに、車輪を有して、前記車輪により移動可能に設けられていることが良好である。
【０００６】
また、本発明において、上記突張棒（３）をフレームに固定する固定ピン（７）を有するものであることが良好である。
【０００７】
また、本発明において、縦糸巻き取り軸（２６）は、歯車に噛合するブレーキレバーにより一方方向回転可能に規制され、前記ブレーキレバーのオン・オフはマグネット（２３）とブレーキレバー（１７）に含まれるブレーキ解除棒で行われるものとすることが良好である。
【発明の効果】
【０００８】
本発明によれば、織り手がその人の織り掛けの布を移動させることが可能であり、次の人が自分の未完成の布を持ってきて織りを続けることが出来るという優れた効果を奏するものである。
【発明を実施するための最良の形態】
【０００９】
つぎに本発明を図示の一例に基づいて詳細に説明する。
本発明の折り畳み手織り機は、天秤カセット３１に纏められた天秤３０と、伝達棒３７と、踏み木１５に掛け止める結紐小片３２と、前記踏み木１５により動かされる複数のそうこうワク３８とを一つの纏まりとして取り外して、他の手織り機に移動可能な織り機の組み立てを特徴とする。
そして、本発明の織り機は容易に折り畳むことができるものであり、同時に繰り返しの折り畳み、開閉にも堅実さを失わないタイプの構造をもつものである。
【００１０】
この手織り機はＸ型に組み合わされたフレーム１、２を持つ。図示のように膝木４６を含むフレーム１は、２個の側面セット、その中間のセットから成る。間丁を含むフレーム２は２個の側面セット、その中間のセットから成る。
膝木４６を含むフレーム１は、間丁を含むフレーム２の内側に入る。膝木４６を含むフレーム１の側面の外寸法は、間丁を含むフレーム２の側面の内寸法に等しい。この二つのフレーム１，２は、頭部に回転止めを持った雄ねじと蝶ネジ８を用いて中央で組み合わされ、側面から見た時に対称なＸ型を成している。
上記フレーム１，２の組み合わせは、織り機使用に際して、突張棒３を側面の材の間に水平に張り渡すことで強固にされる。水平となる突張棒３の最初の端は、頭部に回転止めを持った雄ねじと蝶ネジ８を用いて間丁を含むフレーム２の内側にしっかり締め付けられる。さらに突張棒３の２番目の端（最初の端とは反対側の端）は適するようにその長さと角度を斜めに切ってある。その斜めに切られた端は膝木４６を含むフレーム１上に横たわり金属の植え込み棒７で強固に固定される（図１、図２参照）。
【００１１】
Ｘ型としたフレーム１，２に上下にして天秤フレーム５の支柱４が取り付けられている。天秤フレーム５の前記支柱４は、頭部に回転止めを持った雄ねじと蝶ネジ８を用いて長孔９を介してフレーム１，２に固着されている。支柱４とフレーム１，２の間隙には適した介在物が用意される。その天秤フレーム５の支柱４には２組の長孔９が用意される。フレーム１、２の展開は制限付きで与えられたＸ型に長さと孔の間隔で決まり、動く軌道を限定され限定されたポジションまで開く。
布巻き取り軸１９は膝木４６のフレーム１の斜めになった部分の間にセットされる。
【００１２】
好ましい状態を具体化するため、図１に示されているように膝木４６と間丁との間で突張棒３はできるだけ縦糸に近く水平に側面の部材の間に設置されている。突張棒３は手織り機を折り畳む際は、上方に向けられる。
【００１３】
本発明の折り畳み手織り機は、着脱式のモータ４４を有して、折り畳み、開閉の為のモータードライブ機構４２を備えているものである。前記モータードライブ機構４２は手織り機の折り畳み開閉の為のウオームギヤを持つ。このモータードライブ機構４２の働きにより折り畳み開閉を力を使うことなく可能とされている。
【００１４】
本発明では、踏み木１５と伝達棒３７は準備された移動できる形で与えられる。これらはサイズと模様によって踏み木１５と伝達棒３７の数が調節される。
【００１５】
この手織り機は常にどの織り手が自分の番になっても自分の布（布の組み立て）をかけて織れる運用状態にある。それに加え有効な使い方は手織り機自体を使用しないときには、この手織り機を折り畳んで脇にどけられるということである。
【００１６】
その巻き取り軸はその一端に取り外し可能で、かつ一方方向回転可能な歯車を持っている。その巻き取り軸の一方方向回転可能な歯車の付いた方の端を孔に差し込み、他端をフレームの切り欠き部に落とし込む。はずす行程では最初に切り欠き部から持ち上げそして孔から引き抜く。縦糸巻き取り軸２６はフレーム２にセットする。そして着脱は同じようにして行われる。
【００１７】
織りあがった布と縦糸を付けたままで折りたたむには次のようにする。
最初に蝶ネジを緩める、次に布と縦糸を適した程度緩める。軸の回転をピンで止める。次に膝木をはずし伝達棒３７の下部に用意されたところに移す。そして突張棒３を上方にあげ、筬枠を膝木に留める。このあとモーターの力が折りたたむために与えられる。手織り機を開くには逆の方向で動作し、完全に開かれた手織り機は脚先の底の部分でしっかりと支えられる。折り畳んだ状態では車輪１１が荷重を受けた状態になり移動できる。
【００１８】
未完成の布を入れて保管／輸送するために、ケース４７を用意する。最初にケース４７を突張棒３の上に載せて開く（図１８参照）。次に縦糸を緩める。この後、伝達棒３７と操作紐のついた結紐小片３２を纏め、前記ケース４７の底に入れ、中間布４９で覆う（図１６、図１７参照）。
その中間布４９の上に、天秤カセット３１をフレーム５から持ち上げると、同時にそうこうワク３８も持ち上げられるので、これらを外してそうこうを中間布４９の上に載せるようにしてケース４７に収め、さらにその上を他の中間布４９で覆う。
そうこうを覆った前記布４９の上に天秤カセット３１を置き、中間布４９で覆う。次に筬かまち５３をはずし、筬５２を持ち上げて縦糸ごとケース４７に入れ、共に杼も入れ中間布４９で覆う。
次に巻き取り軸１９、２６をフレーム１，２から外すが、前記巻き取り軸のギアはフレーム１，２側に残る。縦糸はゆるやかに巻き取り軸に巻いてケース４７に収める。同じように布も巻き取り軸に巻いてケース４７に並んで収め、カバー５１で覆う。
【００１９】
本発明では、完成されていない布は上に説明したように脇にどけ、他の完成していない布を手織り機に掛ける事ができて、前回やめたところから続けられる。いろいろな長さ、いろいろなタイプの縦糸を、前の織り手がその人の作品（布）を出来上がらせるのを待つことなく掛ける事ができる。
これは、織っている途中で布（織物）の組み立て（縦糸のかかった縦糸巻き取り軸２６、天秤３０、糸そうこうの掛ったそうこうワク３８、伝達棒３７、踏み木に結び目を支持させるための結紐小片３２、筬５２、織りあがった布の巻き取られた巻き取り軸１９）を取り外すことなく、または取り外しても折り畳んで仕舞うことができるからである。
織りを続ける時には、折りたたんだ手織り機を出してきて折り畳まれた状態から起こし、織りの組み立てを織れる状態に整えネジを締めつける。
【００２０】
本発明では、縦糸を掛け織れる様に準備することが他所で例えば手なれた職人の手で可能で、出来上がった布を他の織り機に移動／配達ができる。この事で初心者が難しい縦糸の準備をすることなく、すぐに織り始める事ができる。
【図面の簡単な説明】
【００２１】
【図１】本発明に係る手織り機の一例の使用状態の側面を示す説明図である。
【図２】一例の折り畳みの最初のステップで水平の突張棒が外されているところを示す説明図である。
【図３】一例の折り畳みの途中の状態を示す説明図である。
【図４】一例の折り畳まれた状態を示す説明図である。
【図５】一例において布巻き取り軸と縦糸巻き取り軸との取り外し方向を示す説明図である。
【図６】一例において布巻き取り軸の支持状態を示す説明図である。
【図７】一例において縦糸巻き取り軸の支持状態を示す説明図である。
【図８】天秤とフレームとの装着関係を示す説明図である。
【図９】天秤カセットに囲われた天秤を取り外すところを示す説明図である。
【図１０】伝達棒の軸周辺部を示す説明図である。
【図１１】踏み木の周辺部を示す説明図である。
【図１２】伝達棒からの操作紐の踏み木への取り付けが結紐小片に依ることを示す説明図である。
【図１３】伝達棒への操作紐の取り付けた結紐小片を示す説明図である。
【図１４】縦糸巻き取り軸のブレーキを示す説明図である。
【図１５】モータードライブ機構を示す説明図である。
【図１６】織りの道具立ての収納／輸送ケースを示す説明図である。
【図１７】織りの道具だての収納順序を示す説明図である。
【図１８】織りの道具だての収納で最後に縦糸巻き取り軸が収納／輸送ケースに収納される段階を示す説明図である。
【符号の説明】
【００２２】
１…膝木の付くフレーム
２…間丁の付くフレーム
３…水平突張棒
４…天秤フレームの支柱
５…天秤フレーム
６…固定ピン用の穴
７…水平突張棒の固定ピン
８…ロックボルトと蝶ネジ
９…長孔
１０…安定させる脚
１１…車輪
１２…軸
１３…掘り込み
１４…めくら孔
１５…踏み木
１６…踏み木支部
１７…ブレーキ
１８…ブレーキ固定具
１９…布巻き取り軸
２０…ロックピン
２１…ロックピン収納時
２２…ロック用孔
２３…マグネット
２４…ブレーキ解除棒
２５…ブレーキ解放棒の孔
２６…縦糸巻き取り軸
２７…シャフト
２８…巻き上げ孔
２９…操作紐
３０…天秤
３１…天秤カセット
３２…結紐小片
３３…操作紐用切り欠け
３４…小片保持ピン
３５…指先用くぼみ
３６…保持用孔
３７…伝達棒
３８…そうこうワク
３９…前方下部貫材
４０…後方下部貫材
４１…索
４２…巻き上げ装置
４３…案内車
４４…脱着式モーター
４５…目印
４６…膝木
４７…保管／輸送ケース
４８…持ち手
４９…中間布
５０…ヒモ
５１…カバー
５２…筬
５３…筬かまち
【図１】
0005364341.tif 000002
【図２】
0005364341.tif 000003
【図３】
0005364341.tif 000004
【図４】
0005364341.tif 000005
【図５】
0005364341.tif 000006
【図６】
0005364341.tif 000007
【図７】
0005364341.tif 000008
【図８】
0005364341.tif 000009
【図９】
0005364341.tif 000010
【図１０】
0005364341.tif 000011
【図１１】
0005364341.tif 000012
【図１２】
0005364341.tif 000013
【図１３】
0005364341.tif 000014
【図１４】
0005364341.tif 000015
【図１５】
0005364341.tif 000016
【図１６】
0005364341.tif 000017
【図１７】
0005364341.tif 000018
【図１８】
0005364341.tif 000019